(57)【要約】【課題】本発明は、屋根の山部相互間の間隔寸法に対応して設置可能な屋根の緑化構造を提供する。【解決手段】山部１ａと谷部１ｂを交互に繰り返し形成した屋根１の緑化構造において、複数本の長手状支持部材２と、各支持部材２にその長手方向に移動可能に付設した複数の取付手段３を備え、前記複数本の支持部材２を前記屋根１の山部１ａ間に架け渡して互いに平行に並設すると共に、前記各取付手段３を対応する山部１ａに取り付け、前記複数本の支持部材２の上に、植物を植栽した緑化ユニットＵを配置した。【選択図】図１
2009089616.tif 000002
【特許請求の範囲】
【請求項１】
山部と谷部を交互に繰り返し形成した屋根の緑化構造において、
複数本の長手状支持部材と、各支持部材にその長手方向に移動可能に付設した複数の取付手段を備え、前記複数本の支持部材を前記屋根の山部間に架け渡して互いに平行に並設すると共に、前記各取付手段を対応する山部に取り付け、前記複数本の支持部材の上に、植物を植栽した緑化ユニットを配置したことを特徴とする屋根の緑化構造。
【請求項２】
前記屋根はその山部の頂部にハゼ部を突設した折版屋根であると共に、前記各取付手段は前記ハゼ部を挟持可能な一対の挟持片を有し、前記挟持片に貫設した挿通孔に、前記支持部材をスライド可能に挿通したことを特徴とする請求項１に記載の屋根の緑化構造。
【請求項３】
前記緑化ユニットを保持する保持部材を、前記支持部材にその長手方向に移動可能に付設すると共に、前記保持部材を前記支持部材の所定の位置で固定する保持部材固定手段を設けたことを特徴とする請求項１又は２に記載の屋根の緑化構造。
【請求項４】
前記緑化ユニットの下面を受ける受け部材を、前記支持部材にその長手方向に移動可能に付設すると共に、前記受け部材を前記支持部材の所定の位置で固定する受け部材固定手段を設けたことを特徴とする請求項３に記載の屋根の緑化構造。
【請求項５】
前記保持部材固定手段と、前記受け部材固定手段を、共通の固定手段としたことを特徴とする請求項４に記載の屋根の緑化構造。
【発明の詳細な説明】
【技術分野】
【０００１】
本発明は、建物の屋根の緑化構造に関し、詳しくは、山部と谷部を交互に繰り返し形成した屋根の緑化構造に関する。
【背景技術】
【０００２】
近年、都市部の気温が周辺地域の気温に比べて高くなるヒートアイランド現象を抑制するために、建物の屋根や屋上等の緑化が行われている。建物の屋根を緑化する技術として、例えば、下記の特許文献１に示すような屋根の緑化構造が提案されている。
【０００３】
特許文献１に示す屋根の緑化構造は、図９に示すように、山部１ａと谷部１ｂを交互に繰り返し形成した折版屋根１の隣り合う山部１ａ，１ａ間に、植物を植栽するためのパネル状又はマット状の緑化ユニットＵを架設している。
【特許文献１】特開２００５−１０５５３６号公報
【発明の開示】
【発明が解決しようとする課題】
【０００４】
しかし、上記特許文献１の屋根の緑化構造では、図９に示すように、緑化ユニットの幅Ｗを、折版屋根１の隣り合う山部１ａ，１ａの間隔寸法と略同寸法に設定しなければならない。従って、折版屋根の山部の間隔に対応して様々なサイズの緑化ユニットを用意する必要があり、緑化ユニットの製造コストや管理コスト等が増大するといった欠点があった。
【０００５】
そこで、本発明は斯かる実情に鑑み、屋根の山部相互間の間隔寸法に対応して設置可能な屋根の緑化構造を提供しようとするものである。
【課題を解決するための手段】
【０００６】
請求項１の発明は、山部と谷部を交互に繰り返し形成した屋根の緑化構造において、複数本の長手状支持部材と、各支持部材にその長手方向に移動可能に付設した複数の取付手段を備え、前記複数本の支持部材を前記屋根の山部間に架け渡して互いに平行に並設すると共に、前記各取付手段を対応する山部に取り付け、前記複数本の支持部材の上に、植物を植栽した緑化ユニットを配置したものである。
【０００７】
複数の取付手段が支持部材の長手方向に移動可能に付設されているので、取付手段相互間の間隔寸法を調整することが可能である。これにより、取付手段を屋根の山部相互間の間隔寸法に対応して取り付けることができる。
【０００８】
請求項２に記載の発明は、請求項１に記載の屋根の緑化構造において、前記屋根はその山部の頂部にハゼ部を突設した折版屋根であると共に、前記各取付手段は前記ハゼ部を挟持可能な一対の挟持片を有し、前記挟持片に貫設した挿通孔に、前記支持部材をスライド可能に挿通したものである。
【０００９】
挟持片が支持部材に対してスライド可能に構成されているので、挟持片を屋根のハゼ部相互間の間隔寸法に対応して取り付けることができる。
【００１０】
請求項３の発明は、請求項１又は２に記載の屋根の緑化構造において。前記緑化ユニットを保持する保持部材を、前記支持部材にその長手方向に移動可能に付設すると共に、前記保持部材を前記支持部材の所定の位置で固定する保持部材固定手段を設けたものである。
【００１１】
保持部材を支持部材の長手方向に移動可能に付設したので、保持部材を緑化ユニットのサイズや配設位置等に対応して配置することができる。
【００１２】
請求項４の発明は、請求項３に記載の屋根の緑化構造において、前記緑化ユニットの下面を受ける受け部材を、前記支持部材にその長手方向に移動可能に付設すると共に、前記受け部材を前記支持部材の所定の位置で固定する受け部材固定手段を設けたものである。
【００１３】
受け部材を支持部材の長手方向に移動可能に付設したので、受け部材を緑化ユニットのサイズや配設位置等に対応して配置することができる。
【００１４】
請求項５の発明は、請求項４に記載の屋根の緑化構造において、前記保持部材固定手段と、前記受け部材固定手段を、共通の固定手段としたものである。
【００１５】
これにより、部品点数を削減して構造を簡素化することができ、設置作業コストや製造コストの低減を図ることができる。
【発明の効果】
【００１６】
本発明によれば、緑化ユニットを支持する支持部材を、様々な山部相互間の間隔寸法に対応して設置することができ、汎用性に優れたものとなる。従来のように山部の間隔に対応させて複数種類の緑化ユニットを用意する必要がなく、製造コスト、管理コスト等の低減を図ることができる。
【発明を実施するための最良の形態】
【００１７】
以下、本発明の屋根の緑化構造を、添付の図面を参照して説明する。
図１は本発明に係る屋根の緑化構造の全体構成を示す斜視図である。図１において、符号１は、山部１ａと谷部１ｂを交互に繰り返し形成した折版屋根である。この折版屋根１の各山部１ａの頂部には、その稜線に沿ってハゼ部ｃが突設されている。また、同図において、符号Ｕは、上面に芝等の植物を植栽した緑化ユニットである。
【００１８】
図１に示すように、折版屋根１の山部１ａの稜線に直交するように、３本の長手状支持部材２が、山部１ａ，１ａ間に架け渡されている。各支持部材２は、取付手段３を介して折版屋根１のハゼ部１ｃに取り付けられている。そして、支持部材２の上に、４つの緑化ユニットＵが互いに隣接して配置され、緑化エリアを形成している。また、図１に示す実施形態に限らず、緑化ユニットＵを、山部１ａの稜線と平行な縦方向、又はそれと直交する横方向に、３つ以上連続して配設することも可能である。緑化ユニットＵ同士の隣接する角部は、保持部材４によって保持されており、これら緑化ユニットＵの集合体の周囲には、枠材５が配設されている。
【００１９】
図２の側面図に示すように、各支持部材２には、その長手方向に渡って取付手段３が複数個付設されている。各取付手段３は、ハゼ部１ｃに固定しない状態で、支持部材２の長手方向に移動可能に構成されている。また、上記保持部材４及び枠材５も、支持部材２に対してその長手方向に移動可能に付設されている。
【００２０】
以下、取付手段３、保持部材４及び枠材５の構成について詳しく説明する。
図３は取付手段３の側面図、図４はその正面図である。図３に示すように、取付手段３は、側面視において略コ字状に形成された一対の挟持片６，６と、各挟持片６，６同士を締結するための２組のボルト７及びナット８から構成される。各挟持片６，６の互いに接近する方向に折り曲げた上片には、互いに対向すると共に当接可能な当接部６ａ，６ａを有する。一方、各挟持片６，６の互いに対向する方向に折り曲げた下片には、ハゼ部１ｃを挟持可能な爪部６ｂ，６ｂを有している。
【００２１】
図４に示すように、各挟持片６，６には、ボルト７，７を挿通するための２つのボルト孔６ｃ，６ｃが貫設されている。挟持片６の２つのボルト孔６ｃ，６ｃの間には、挿通孔６ｄが貫設され、この挿通孔６ｄに支持部材２がスライド可能に挿通されている。また、上記当接部６ａは、挿通孔６ｄに挿通した支持部材２と干渉しないように、挿通孔６ｄの左右方向の両側に配設されている。
【００２２】
図５は保持部材４、緑化ユニットＵ等を示す側面図、図６はそれらの正面図である。図５と図６に示すように、緑化ユニットＵは、凹凸に成形された底部を有するトレイ９と、トレイ９に敷設したマット状植栽基材１１とから構成されている。この植栽基材１１の上面には、芝等の植物が植栽される。また、図５及び図６において、符号１０で示す箇所、つまりトレイ９の凹状の底部と植栽基材１１との間に、土壌を配設してもよい。
【００２３】
互いに隣接したトレイ９の周壁面の上端部には、保持部材４が配設されている。図７に示すように、保持部材４は、略正方形の天板部４ａと、天板部４ａの縁から垂下状に配設された４つの側壁部４ｂとから成る。各側壁部４ｂ相互間には、トレイ９の周壁部を保持部材４の内外に通過させるためのスリット４ｃが設けられている。
【００２４】
図５及び図６において、保持部材４の下方には、トレイ９の下面を受ける受け部材１２と、支持部材２上をその長手方向にスライド移動するガイド部材１３が、（上方から）順次配設されている。これら保持部材４、受け部材１２及びガイド部材１３は、連結ボルト１４によって連結されている。なお、隣接する緑化ユニットＵのトレイ９同士及び植栽基材１１同士は、それぞれ互いに接触しているが、連結ボルト１４を配設したトレイ９と植栽基材１１のそれぞれの角部は、連結ボルト１４との干渉を避けるために円形に面取りされている。
【００２５】
また、図６に示すように、支持部材２は、その上部に長手方向の開口部２ａを形成した中空の部材であり、上記連結ボルト１４の下端は、この開口部２ａから支持部材２内に収容されている。そして、保持部材４、受け部材１２及びガイド部材１３は、連結ボルト１４を介して一体に、支持部材２の長手方向に移動可能に構成されている。
【００２６】
ガイド部材１３は、その幅方向の両端部を、支持部材２の幅より若干大きい幅で下方に折り曲げた一対の折り曲げ部１３ａ，１３ａを有し、この一対の折り曲げ部１３ａ，１３ａが支持部材２の側壁に当接することで、ガイド部材１３の支持部材２に対する幅方向への移動を規制している。
【００２７】
また、保持部材４及び受け部材１２等を、支持部材２上の所定の位置で固定する固定手段１５を備えている（図６参照）。この固定手段１５は、連結ボルト１４の下端に取り付けられた押圧片１６を備える。押圧片１６の幅方向の両端部は、支持部材２の上部に形成した一対の受け片２ｂ，２ｂに対して内側（下方）から接触可能に配設されている。受け部材１２と保持部材４との間の連結ボルト１４の中間部には、押圧片１６を受け片２ｂ，２ｂに押圧させるための第一ナット１７が螺着されている。また、保持部材４の上方に突出した連結ボルト１４の先端部には、連結ボルト１４からの保持部材４の離脱を防止するために、第二ナット１８が螺着されている。
【００２８】
図８に示すように、枠材５は、横断面がＬ字型に形成され、受け部材１２の上面に、ボルト１９とナット２０によって固定されている。受け部材１２、保持部材４及びガイド部材１３は、連結ボルト１４を介して一体に連結されている。これら受け部材１２、保持部材４、ガイド部材１３及び連結ボルト１４の構造は、図５及び図６に示した構造と同様であり、さらに、連結ボルト１４の下端には、図６と同様の固定手段１５を有している。つまり、図８に示す枠材５は、受け部材１２を介して、支持部材２の長手方向に移動可能であると共に、支持部材２上の所定の位置で固定可能に構成されている。また、枠材５には、受け部材１２の上方に突出した連結ボルト１４や、保持部材４等と干渉しないように、窓部５ａが貫設されている。なお、図８において、上述した以外の符号の箇所で、図５又は図６と同一の符号の箇所は、図５又は図６と同様の構成であるので説明を省略する。
【００２９】
以下、折版屋根に緑化ユニットを設置する方法について説明する。
まず、支持部材２を折版屋根１に設置する前に、図１に示す緑化ユニットＵの幅Ｗ１に基づいて、支持部材２，２同士の設置する間隔寸法Ｗ２を決定する。詳しくは、隣り合う支持部材２，２のそれぞれの幅方向中心位置同士の間隔寸法Ｗ２を、緑化ユニットＵの幅Ｗ１と略同一となるようにする。そして、取付手段３を、互いの間隔寸法が上記間隔寸法Ｗ２となるように折版屋根１のハゼ部１ｃに取り付ける。
【００３０】
取付手段３を折版屋根１のハゼ部１ｃに取り付けるには、図３に示すように、一対の挟持片６，６を、ハゼ部１ｃを挟むように配設し、各挟持片６，６をボルト７とナット８で締結する。ボルト７とナット８で締結することにより、各挟持片６，６の爪部６ｂ，６ｂが互いに接近してハゼ部１ｃを挟持する。また、ボルト７とナット８の締結により、各挟持片６，６の当接部６ａ，６ａ同士が圧接され、挟持片６，６がハゼ部１ｃを安定して挟持できる。
【００３１】
ハゼ部１ｃに取り付けた挟持片６の挿通孔６ｄに、支持部材２を挿通して（図４参照）、支持部材２を折版屋根１の山部１ａ間に架設する。
【００３２】
図６に示すように、連結ボルト１４の下端に押圧片１６を装着し、支持部材２内に連結ボルト１４の下端及び押圧片１６を収容する。さらに、その連結ボルト１４に、ガイド部材１３、受け部材１２、第一ナット１７を順次装着する。このように連結ボルト１４に上記各部材を装着したもの（以下、連結ボルト装着部材群という）を、支持部材２に所定のセット数取り付ける。これら連結ボルト装着部材群を支持部材２に取り付けた状態では、第一ナット１７は未だ締結されておらず、押圧片１６は支持部材２の受け片２ｂ，２ｂに圧接されていない。つまり、各連結ボルト装着部材群は、支持部材２の長手方向に移動可能な状態となっている。
【００３３】
各連結ボルト装着部材群を、それぞれ支持部材２の長手方向に移動させて、緑化ユニットＵ（トレイ９）の角部が配置される予定の位置に配置する。詳しくは、図１に示すように、支持部材２上における各保持部材４（又は連結ボルト１４）同士の間隔寸法Ｌ２を、緑化ユニットＵの長さＬ１と略同一となるように配置する。そして、第一ナット１７を締結して、連結ボルト１４を支持部材２に対して固定する。詳しくは、図６に示すように、第一ナット１７を締め付ける方向に回転させると、連結ボルト１４が上昇し、この上昇に伴って押圧片１６の両端部が支持部材２の一対の受け片２ｂ，２ｂを押圧する。この押圧片１６の受け片２ｂ，２ｂへの押圧力により、連結ボルト１４の支持部材２に対する移動が規制され固定される。
【００３４】
このように配置した受け部材１２の上に、４つのトレイ９を互いに隣接させて載置する。連結ボルト１４の上方から保持部材４を装着して各トレイ９を保持する。保持部材４の上方に突出した連結ボルト１４の上端に、第二ナット１８を締結して、保持部材４が連結ボルト１４から離脱するのを防止する。
【００３５】
互いに隣接して配置したトレイ９の集合体の周囲に、枠材５を配設し、枠材５をボルト１９とナット２０で受け部材１２上に固定する（図８参照）。各トレイ９に、土壌１０、植栽基材１１及びマット化された切り芝等を順次敷設する。このようにして、折版屋根上に緑化ユニットが設置される。なお、植栽基材１１に植栽する植物は、芝以外の植物も適用可能であり、植栽基材１１に種を蒔いて植物を生育してもよい。
【００３６】
上述したように、取付手段３は、支持部材２に対してその長手方向に移動可能に構成されているので、様々な山部１ａ相互間の間隔寸法に対応して取付手段３を設置することができる。
【００３７】
さらに、ハゼ部１ｃの稜線方向に渡って設置した取付手段３同士の間隔寸法を調整することによって、支持部材２同士の間隔寸法Ｗ２を、緑化ユニットＵの幅Ｗ１に対応させて配設することができる。また、保持部材４及び受け部材１２は、支持部材２の長手方向に移動可能な連結ボルト１４に一体に付設されているので、緑化ユニットＵの長さＬ１に対応して、その配設位置を調整することができる。このように、本発明の屋根の緑化構造は、様々な緑化ユニットＵのサイズに対応して、支持部材２や保持部材４の配設位置を調整することも可能である。
【００３８】
本発明は上述の実施形態に限定されるものではなく、本発明の要旨を逸脱しない範囲で、種々の変更を加え得ることは勿論である。上述の実施形態では、保持部材４と受け部材１２は、支持部材２に対して一体に移動可能に取り付けられ、共通の固定手段１５によって支持部材２上に固定可能に構成されているが、保持部材４と受け部材１２をそれぞれ独立して支持部材２に対して移動可能に構成し、それぞれ別の固定手段（保持部材固定手段及び受け部材固定手段）を設けてもよい。また、本発明の屋根の緑化構造は、折版屋根以外の山部と谷部を交互に繰り返し形成した屋根にも適用可能である。
【図面の簡単な説明】
【００３９】
【図１】本発明に係る屋根の緑化構造の全体構成を示す斜視図である。
【図２】前記屋根の緑化構造の側面図である。
【図３】前記屋根の緑化構造の要部を拡大した側面図である。
【図４】前記屋根の緑化構造の要部を拡大した正面図である。
【図５】前記屋根の緑化構造の要部を拡大した側面図である。
【図６】前記屋根の緑化構造の要部を拡大した正面図である。
【図７】前記屋根の緑化構造の要部を拡大した斜視図である。
【図８】前記屋根の緑化構造の要部を拡大した側面図である。
【図９】従来の屋根の緑化構造の構成を示す側面図である。
【符号の説明】
【００４０】
１    折版屋根
１ａ  山部
１ｂ  谷部
１ｃ  ハゼ部
２    支持部材
３    取付手段
４    保持部材
６    挟持片
６ｄ  挿通孔
１５  固定手段
Ｕ    緑化ユニット
【図１】
2009089616.tif 000003
【図２】
2009089616.tif 000004
【図３】
2009089616.tif 000005
【図４】
2009089616.tif 000006
【図５】
2009089616.tif 000007
【図６】
2009089616.tif 000008
【図７】
2009089616.tif 000009
【図８】
2009089616.tif 000010
【図９】
2009089616.tif 000011